(57)【要約】【課題】手を乾燥させるのに使用される手乾燥装置において、加熱手段に無駄に通電する期間ができてしまい、さらに吹出し風の温度を考慮していないという課題を有していたため、加熱手段への通電を減らしながら複数人使用しても吹出し風の温度を常に適温に保つことができる手乾燥装置を提供することを目的とする。【解決手段】本体１に加熱手段６と送風手段７を備え、人検知手段４による在人信号で人数を把握し、人数に応じて加熱手段６の出力を調整するという構成にしたことにより、人数による使用状況を予測しながら加熱手段６の出力を調整するので、複数人使用しても吹出し風の温度を常に適温に保つことができる構成にした手乾燥装置を得られる。【選択図】図３
2010264158.tif 000002
【特許請求の範囲】
【請求項１】
トイレの入口の天井に設けて人の出入りを検出する人検知手段と、トイレの手洗い場に設置して、手の乾燥を行う本体とを備え、この本体は差し出した手に風を送る送風手段と、前記送風手段から送風される空気を暖める加熱手段と、前記加熱手段近傍に配置して前記加熱手段の温度を推定する加熱温度検知手段と、前記送風手段と前記加熱手段を制御する制御部とを備え、前記制御部は前記人検知手段の信号を受けて在室者の人数を算出する人数算出手段と、前記人数算出手段の信号から前記加熱手段の発熱量を調整する加熱駆動手段とを備え、前記加熱駆動手段により加熱手段の予熱運転を行う手乾燥装置。
【請求項２】
あらかじめ在室者の人数と前記加熱手段の予熱温度とを対応させて前記加熱駆動手段の中に設定しておき、前記加熱駆動手段により前記加熱手段の予熱運転を行う請求項１に記載の手乾燥装置。
【請求項３】
前記予熱運転は前記送風手段の運転停止後の蓄熱量を算出して、前記加熱手段の予熱温度を低く調整する請求項２に記載の手乾燥装置。
【請求項４】
前記運転停止後の蓄熱量は本体の使用回数をカウントする使用回数計測手段を制御部に備え、前記使用回数計測手段によりカウントされた回数で蓄熱量を算出し、前記人数検出手段により検知した人数でその後の使用回数も予測して蓄熱量を算出する手段を備えた請求項３に記載の手乾燥装置。
【請求項５】
本体の吹出し口に送風温度検知手段を設け、前記制御部はこの前記送風温度検知手段の検知温度に応じて、前記加熱駆動手段により前記加熱手段の予熱運転を行う請求項１に記載の手乾燥装置。
【請求項６】
あらかじめ在室者の人数と前記吹出し風の温度とを対応させて前記加熱駆動手段に設定しておき、前記加熱駆動手段により前記加熱手段の予熱運転を行う請求項５に記載の手乾燥装置。
【請求項７】
前記送風温度検知手段の前回の検知温度を記憶し、次回の加熱手段の設定温度にフィードバックを行う請求項５に記載の手乾燥装置。
【請求項８】
吹出し風の設定温度を可変させる送風温度設定手段を設けた請求項５に記載の手乾燥装置。
【請求項９】
前記加熱手段が前記設定温度に達していない状態で使用するときは、風量を下げた状態で運転を開始する機能を備えた請求項１に記載の手乾燥装置。
【請求項１０】
前記加熱手段の予熱を前記人数算出手段が１人目を算出してから時間の計測を開始して、第１の所定時間の経過後に予熱運転を開始させる第１のタイマを備えた請求項１に記載の手乾燥装置。
【請求項１１】
本体を停止して第２の所定時間の経過後に人数算出手段の在室者の人数を０人にする第２のタイマを備えた請求項１に記載の手乾燥装置。
【請求項１２】
在室者の人数を０人と判断している状態で、前記加熱手段が予熱を行っていたら異常を検知する異常検知手段を備えた請求項１に記載の手乾燥装置。
【発明の詳細な説明】
【技術分野】
【０００１】
本発明は、洗面所やトイレ等にて手を洗い、濡れた手を温風にて乾燥させる手乾燥装置に関するものである。
【背景技術】
【０００２】
従来、この種の手乾燥装置では、装置内に濡れた手を挿入すると風速の速い温風により手の水滴を飛ばし、その温風の熱で水分を蒸発させ、乾燥させるものが知られていた。
【０００３】
以下、その手乾燥装置について図１８を参照しながら説明する。
【０００４】
図１８に示すように、開放シンク状の手挿入部１０１を形成した本体箱体１０２に送風機１０３と加熱手段１０６が組み込まれた構成であり、利用者が手挿入部１０１に濡れた手を挿入すると、送風機１０３は蓄熱手段１０４に蓄熱した熱を放熱させて空気を温風として吹出して、濡れた手を乾燥させる。
【０００５】
また、手乾燥装置の周囲の温度を検知する温度センサ１０５を有しており、利用者が手を挿入した際には即時温風を吹出せるように、利用されていないときであっても、温度センサ１０５の検知温度が所定の温度以下のときには、加熱手段１０６を通電させて前記蓄熱手段１０４に熱を蓄えていた（例えば特許文献１参照）。
【先行技術文献】
【特許文献】
【０００６】
【特許文献１】特開２００３−２０４８９７号公報
【発明の概要】
【発明が解決しようとする課題】
【０００７】
このような従来の手乾燥装置においては、手が挿入された際に送風開始時点から温風を送風するように、手が挿入されていないときにおいても周囲の温度が設定温度未満であれば加熱手段に通電していた。また、連続使用などにより加熱手段の温度が高くなっており、十分な発熱量があるときでも、周囲の温度が設定温度より低ければ加熱手段に通電していた。これらのために、加熱手段に無駄に通電する期間ができてしまい、さらに吹出し風の温度を考慮していないという課題を有していた。
【０００８】
そこで、本発明は、上記従来の課題を解決するものであり、加熱手段の温度、モータの蓄熱量、吹出し風の温度を考慮し、加熱手段の発熱量を制御することで、加熱手段への無駄な通電をなくし、吹出し風の温度を適温で使用できる手乾燥装置を提供することを目的とする。
【課題を解決するための手段】
【０００９】
そして、この目的を達成するために、本発明はトイレの入口の天井に設けて人の出入りを検出する人検知手段と、トイレの手洗い場に設置して、手の乾燥を行う本体とを備え、この本体は差し出した手に風を送る送風手段と、前記送風手段から送風される空気を暖める加熱手段と、前記加熱手段近傍に配置して前記加熱手段の温度を推定する加熱温度検知手段と、前記送風手段と前記加熱手段を制御する制御部とを備え、前記制御部は前記人検知手段の信号を受けて在室者の人数を算出する人数算出手段と、前記人数算出手段の信号から前記加熱手段の発熱量を調整する加熱駆動手段とを備え、前記加熱駆動手段により加熱手段の予熱運転を行う手乾燥装置としたものであり、これにより所期の目的を達成するものである。
【発明の効果】
【００１０】
本発明によれば、人数を把握することにより本体の使用状況を予測し、加熱手段への通電を減らしながら吹出し風の温度を適温に保つことができるという効果が得られる。
【図面の簡単な説明】
【００１１】
【図１】本発明の実施の形態１の手乾燥装置の設置状況を示す透視図
【図２】同実施の形態１の手乾燥装置の構成を示す断面図
【図３】同実施の形態１の手乾燥装置の構成を示すブロック図
【図４】同実施の形態１の手乾燥装置の動作を示す状態遷移図
【図５】同実施の形態１の手乾燥装置の動作を示すフローチャート
【図６】同実施の形態２の手乾燥装置の構成を示すブロック図
【図７】同実施の形態２の手乾燥装置の動作を示す状態遷移図
【図８】同実施の形態２の手乾燥装置の動作を示すフローチャート
【図９】同実施の形態３の手乾燥装置の構成を示す断面図
【図１０】同実施の形態３の手乾燥装置の構成を示すブロック図
【図１１】同実施の形態３の手乾燥装置の動作を示すフローチャート
【図１２】同実施の形態３の手乾燥装置の動作を示すフローチャート
【図１３】同実施の形態４の手乾燥装置の構成を示すブロック図
【図１４】同実施の形態５の手乾燥装置の構成を示すブロック図
【図１５】同実施の形態５の手乾燥装置の動作を示す状態遷移図
【図１６】同実施の形態６の手乾燥装置の構成を示すブロック図
【図１７】同実施の形態６の手乾燥装置の動作を示すフローチャート
【図１８】従来の手乾燥装置の構成を示す断面図
【発明を実施するための形態】
【００１２】
本発明の請求項１記載の手乾燥装置は、トイレの入口の天井に設けて人の出入りを検出する人検知手段と、トイレの手洗い場に設置して、手の乾燥を行う本体とを備え、この本体は差し出した手に風を送る送風手段と、前記送風手段から送風される空気を暖める加熱手段と、前記加熱手段近傍に配置して前記加熱手段の温度を推定する加熱温度検知手段と、前記送風手段と前記加熱手段を制御する制御部とを備え、前記制御部は前記人検知手段の信号を受けて在室者の人数を算出する人数算出手段と、前記人数算出手段の信号から前記加熱手段の発熱量を調整する加熱駆動手段とを備え、前記加熱駆動手段により加熱手段の予熱運転を行うものである。
【００１３】
これにより、加熱手段の発熱量を人数に応じて変化させることができるようになり、使用者全員が適温で使用できるようになるという効果を奏する。
【００１４】
また、請求項２記載の手乾燥装置は、あらかじめ在室者の人数と前記加熱手段の予熱温度とを対応させて前記加熱駆動手段の中に設定しておき、前記加熱駆動手段により前記加熱手段の予熱運転を行うものである。
【００１５】
これにより、人数に応じた加熱手段の設定温度を持つことにより、使用者全員が適温で使用できるようになるという効果を奏する。
【００１６】
また、請求項３記載の手乾燥装置は、前記予熱運転は前記送風手段の運転停止後の蓄熱量を算出して、前記加熱手段の予熱温度を低く調整するものである。
【００１７】
これにより、送風手段の蓄熱を考慮し、加熱手段の予熱温度を低く調整することができ、使用者全員が適温で使用できるようになるという効果を奏する。
【００１８】
また、請求項４記載の手乾燥装置は、前記運転停止後の蓄熱量は本体の使用回数をカウントする使用回数計測手段を制御部に備え、前記使用回数計測手段によりカウントされた回数で蓄熱量を算出し、前記人数検出手段により検知した人数でその後の使用回数も予測して蓄熱量を算出する手段を備えたものである。
【００１９】
これにより、現在の蓄熱量を踏まえて今後の蓄熱量を推測できるようになり、使用者全員が適温で使用できるようになるという効果を奏する。
【００２０】
また、請求項５記載の手乾燥装置は、本体の吹出し口に送風温度検知手段を設け、前記制御部はこの前記送風温度検知手段の検知温度に応じて、前記加熱駆動手段により前記加熱手段の予熱運転を行うものである。
【００２１】
これにより、吹出し風の温度も考慮できるようになり、使用者全員が適温で使用できるようになるという効果を奏する。
【００２２】
また、請求項６記載の手乾燥装置は、あらかじめ在室者の人数と前記吹出し風の温度とを対応させて前記加熱駆動手段に設定しておき、前記加熱駆動手段により前記加熱手段の予熱運転を行うものである。
【００２３】
これにより、人数に応じた吹出し風の設定温度を持つことにより、使用者全員が適温で使用できるようになるという効果を奏する。
【００２４】
また、請求項７記載の手乾燥装置は、前記送風温度検知手段の前回の検知温度を記憶し、次回の加熱手段の設定温度にフィードバックを行うものである。
【００２５】
これにより、前回の吹出し風の温度も考慮できるようになり、外気の温度の影響を考慮して吹出し風を適温にできるという効果を奏する。
【００２６】
また、請求項８記載の手乾燥装置は、吹出し風の設定温度を可変させる送風温度設定手段を設けたものである。
【００２７】
これにより、個々の利用環境に応じ、加熱手段についての設定条件を利用者が選択できるという効果を奏する。
【００２８】
また、請求項９記載の手乾燥装置は、前記加熱手段が前記設定温度に達していない状態で使用するときは、風量を下げた状態で運転を開始する機能を備えたものである。
【００２９】
これにより、予熱が足らない状態で勢いよく風が吹出すのを防げるようになり、最初の使用者が冷たい風を勢いよく受けるのを防ぐという効果を奏する。
【００３０】
また、請求項１０記載の手乾燥装置は、前記加熱手段の予熱を前記人数算出手段が１人目を算出してから時間の計測を開始して、第１の所定時間の経過後に予熱運転を開始させる第１のタイマを備えたものである。
【００３１】
これにより、最初の運転に遅延を設けることで加熱手段の無駄な運転を防ぐことができ、消費電力を削減できるという効果を奏する。
【００３２】
また、請求項１１記載の手乾燥装置は、本体を停止して第２の所定時間の経過後に人数算出手段の在室者の人数を０人にする第２のタイマを備えたものである。
【００３３】
これにより、センサの誤検知を防ぐことができ、本体の誤動作を防ぐという効果を奏する。
【００３４】
また、請求項１２記載の手乾燥装置は、在室者の人数を０人と判断している状態で、前記加熱手段が予熱を行っていたら異常を検知する異常検知手段を備えたものである。
【００３５】
これにより、異常をすぐに検知することができ、本体の誤動作を防ぐという効果を奏する。
【００３６】
以下、本発明の実施の形態について図面を参照しながら説明する。
【００３７】
（実施の形態１）
図１に示すように、トイレなどの室内において、手乾燥装置の本体１は手洗い場２付近に設置し、室内の入口３付近の天井に人がどの方向から来たかを判別できる人検知手段４を設置する。人検知手段４は人検知手段４が検知した信号の出力波形が上に出るか、下に出るかによって、人が室内に入ってきたか、室内から出て行ったかを見分けるものとする。人検知手段４は、例えば焦電型赤外線センサがある。人検知手段４は本体１の下部に取り付けられた制御部５と接続されている。
【００３８】
また、図２に示すように、本体１内には、空気を加熱する加熱手段６と、加熱手段６により加熱された空気を温風として吹出す送風手段７を備えている。加熱手段６としては、例えばヒータがある。送風手段７としては、例えば送風機がある。
【００３９】
本体１上部には、上方へと開口した乾燥室８があり、乾燥室８の内側面には、乾燥室８に挿入された手を検知する手検知手段９が取り付けられている。手検知手段９は、例えば赤外線センサがある。
【００４０】
乾燥室８の下方には、送風手段７から吹出された温風により吹き飛ばされた水滴や濡れた手より落下した水滴を受ける水受け部１０を備えている。
【００４１】
また、加熱手段６に接し加熱手段６自体の温度を検知する加熱温度検知手段１１と、加熱手段６の発熱量を制御する制御部５とを備えている。前記加熱温度検知手段１１は、例えばサーミスタなどの温度センサがある。
【００４２】
そして、本体１の下部に取り付けられて制御部５には、手検知手段９信号を受けて送風手段７を駆動する送風駆動手段１４を設け、前記手検知手段９を接続している。
【００４３】
また、図３に示すように制御部５には、前記人検知手段４による信号を受け取り、室内に人が何人いるかを算出する人数算出手段１２と、この人数算出手段１２により算出された人数に応じた加熱手段６の設定温度テーブル１２ａと、前記人数算出手段１２と設定温度テーブル１２ａの信号を受けて、加熱駆動手段１３を駆動する演算手段１５を設けている。
【００４４】
前記加熱駆動手段１３は、演算手段１５の信号を受けて、加熱手段６の通電比率（ｄｕｔｙ）を調整するものである。
【００４５】
上記構成により、人数算出手段１２の算出した人数に応じて加熱手段６の予熱温度を調整することができる。
【００４６】
以下、その詳細について図４に示す本体１の運転を状態遷移図と、図５に示すフローチャートを用いて説明する。
【００４７】
利用者がトイレに入ってくると、人検知手段４が制御部５に信号を送り、人数算出手段１２により算出された人数が０人から１人になる。図４の状態遷移図では状態がＳＴ０（停止時）からＳＴ１（第１予熱開始時）に移行する。そして、ＳＴ１に移行すると、図５のフローチャートに示すように、加熱手段６の予熱を開始する。
【００４８】
すなわち、制御部５は、人検知手段４の信号により人数算出手段１２で在室人数を算出したあと、演算手段１５と設定温度テーブル１２ａにより、在室人数に応じた加熱手段６の設定温度を決め（処理１）、さらに、加熱温度検知手段１１が検知した加熱手段６の温度と加熱手段６の設定温度とを比較する（処理２）。そして、加熱温度検知手段１１が検知した加熱手段６の温度が加熱手段６の設定温度より小さいときは、加熱駆動手段１３は加熱手段６を定格発熱量で運転する（処理３）。また、加熱温度検知手段１１が検知した加熱手段６の温度が加熱手段６の設定温度以上のときは、加熱駆動手段１３は加熱手段６の予熱を停止する（処理４）。新たに人が入ってきた場合には、処理１において再度、加熱手段６の設定温度を決定する。この状態で運転状態すなわち手検知手段９が乾燥室８に挿入された手を検知するまで待機する。
【００４９】
そして、手検知手段９により手を検知すると、手検知手段９から制御部５の送風駆動手段１４に信号が送られ、図４の状態遷移図では状態がＳＴ１からＳＴ２（運転時）に移行し、加熱手段６の運転に加えて、前記送風手段７の運転を開始する。  次に、ＳＴ２の状態から手検知手段９が手を検知しなくなると、ＳＴ２からＳＴ１の状態に移行し、送風手段７の運転を停止し、人数算出手段１２の算出した在室人数をもとに加熱手段６の運転を行う。人数算出手段１２により算出された在室人数が０人になると、ＳＴ１からＳＴ０の状態に移行し、加熱手段６の運転を停止し、手乾燥装置の本体１は待機状態になる。
【００５０】
以上のように、人数算出手段１２の算出した人数に応じて加熱手段６の予熱温度を調整し、加熱手段６の予熱運転を行うことにより、複数人が連続して使用しても吹出し風の温度を常に適温に保つという効果を奏する。
【００５１】
（実施の形態２）
実施の形態１で説明した同一部分は同一番号を付し、詳細な説明は省略する。
【００５２】
実施の形態２の手乾燥装置においては、前記人数算出手段１２により算出された在室人数により前記送風手段７の蓄熱量を予測して、前記加熱温度検知手段１１が検知した前記加熱手段６の温度と前記蓄熱量を温度換算したものを足して、加熱手段６の設定温度と比較する処理を追加したものである。
【００５３】
図６に示すように、本実施の形態の制御部５は、実施の形態１の制御部５に送風駆動手段１４からの信号により送風手段７を運転した回数（運転回数）をカウントする使用回数計測手段１６を加えて設けたものである。すなわち、本実施の形態の演算手段１７は、実施の形態１の演算手段１５に加えて、使用回数計測手段１６からの前記運転回数と、人数算出手段１２により算出された在室人数と、設定温度テーブル１２ａからの設定温度と、加熱温度検知手段１１の検出した加熱手段６の温度とから加熱駆動手段１３を駆動するものである。
【００５４】
また、演算手段１７は、人数算出手段１２により算出された在室人数により今後送風手段７が運転される回数を予測し、送風手段７運転停止後の加熱手段６の蓄熱量を推測するものである。上記構成により、人数算出手段１２により算出された在室人数と使用回数計測手段１６の算出した運転回数により、今後の送風手段７の運転回数を推測し、送風手段７を構成するモータの蓄熱量を手乾燥運転時の吹出し風の加熱に活用することができる。
【００５５】
以下、その詳細について、図７に示す本体１の運転を状態遷移図と、図８に示すフローチャートを用いて説明する。
【００５６】
図７の状態遷移図においてＳＴ０からＳＴ２までの遷移は実施の形態１と同じであるので理解を容易にさせるためにその説明は省略する。そして、ＳＴ２において前記手検知手段９が手を検知しなくなると、送風手段７の運転を停止させる。その後送風手段７の蓄熱量を考慮して加熱駆動手段１３を制御する第２予熱開始時（ＳＴ１ａ）の状態に移行する。
【００５７】
ＳＴ１ａに移行すると、図８のフローチャートに示すように、前記人検知手段４の信号により人数算出手段１２で在室人数を算出したあと、演算手段１７は、この在室人数と設定温度テーブル１２ａとにより、前記在室人数に応じた加熱手段６の設定温度を決める（処理１）。
【００５８】
次に、演算手段１７は、使用回数計測手段１６によりカウントされた運転回数と人数算出手段１２により算出された現在の在室人数より、今後送風手段７が運転される回数を予測し、送風手段７の運転停止後の送風手段７の蓄熱量を推測する（処理５）。
【００５９】
また、演算手段１７には、送風手段７の使用回数と温度を対比させるテーブルを備え、使用回数によって蓄熱量を温度換算した値を用意する。
【００６０】
加熱温度検知手段１１が検知した加熱手段６の温度と送風手段７の運転停止後の蓄熱量を温度換算した値の和と加熱手段６の設定温度とを比較する（処理６）。そして、加熱温度検知手段１１が検知した加熱手段６の温度と送風手段７の運転停止後の蓄熱量を温度換算した値の和が加熱手段６の設定温度より小さいときは、加熱駆動手段１３は加熱手段６を定格発熱量で運転する（処理７）。加熱温度検知手段１１が検知した加熱手段６の温度が加熱手段６の設定温度以上のときは、加熱駆動手段１３は加熱手段６の予熱を停止する（処理８）。
【００６１】
また、新たに人が入ってきた場合には、人検知手段４が検出して、人数算出手段１２が在室人数を算出して、処理１において再度加熱手段６の  設定温度を決定する。この状態で運転時の状態になるまで処理５、処理６、処理８または処理７、処理１を繰り返し加熱手段６の温度を所定の温度に保つ（ＳＴ１ａ）。
【００６２】
次に、手検知手段９により手を検知すると、手検知手段９から制御部５の送風駆動手段１４に信号が送られ、図７の状態遷移図では状態が第２予熱開始時（ＳＴ１ａ）の状態から運転時（ＳＴ２）の状態に移行し、加熱手段６の運転に加えて、前記送風手段７の運転を開始する。そして、ＳＴ２の状態において手検知手段９が手を検知しなくなると、ＳＴ２からＳＴ１ａの状態に移行し、送風手段７の運転を停止する。人数算出手段１２により算出された在室人数が０人になると、第２予熱開始時（ＳＴ１ａ）の状態から停止時（ＳＴ０）の状態に移行し、加熱手段６と送風手段７の運転を停止し、待機状態になる。
【００６３】
以上のように、演算手段１７により、送風手段７の蓄熱量を推測し、加熱温度検知手段１１が検知した加熱手段６の温度と送風手段７の運転停止後の蓄熱量を温度換算した値の和と加熱手段６の設定温度とを比較することで、加熱手段６の出力を減らしながら吹出し風の温度を適温に保つという効果を奏する。
【００６４】
（実施の形態３）
実施の形態１で説明した同一部分は同一番号を付し、詳細な説明は省略する。
【００６５】
実施の形態３の手乾燥装置においては、吹出し風の温度を検知し考慮に入れる処理を追加したものである。
【００６６】
図９示すように、吹出し口１８付近、すなわち送風手段７から吹出し口１８に連通する風路内であって吹出し口１８に近接した部分に吹出し風の温度を検知する送風温度検知手段１９を備え、吹出し風の設定温度を任意の温度に設定する送風温度設定手段２０を設ける構成とした。送風温度検知手段１９は、例えばサーミスタなどの温度センサなどがある。任意の設定温度を設けるということは、利用者向けに送風温度設定手段２０を設けるようなことだけでなく、制御部５にディップスイッチやロータリースイッチなどを設けて、これらのスイッチ類による設定や、不揮発メモリなどに予め設定温度を記憶させておくことも同じ意である。
【００６７】
また、図１０に示すように、制御部５にも設けた演算手段２１は、実施の形態１の演算手段１５に加えて、前記送風温度検知手段１９と送風温度設定手段２０の信号を受ける構成を加え設けたものである。
【００６８】
上記構成により、吹出し風の設定温度を可変させることができるようになる。
【００６９】
以下、その詳細について、図７に示す本体１の運転を状態遷移図と、図１１，１２に示すフローチャートを用いて説明する。
【００７０】
図７の状態遷移図のように状態を遷移するのは実施の形態２と同じであるが、ＳＴ２のときは送風温度検知手段１９で検知される吹出し風の温度を確認しながら前記加熱手段６の出力を調整する。ＳＴ１ａにおいては、運転中に送風温度検知手段１９で検知された吹出し風の温度を記憶しておき、図１２のフローチャートに示すように処理１０での比較において前記送風温度検知手段１９で検知された吹出し風の温度を用いる。
【００７１】
図１１を用いて送風手段７運転時（ＳＴ２）の処理をフローチャートで説明する。
【００７２】
まず、演算手段２１は、前記人検知手段４の信号により前記人数算出手段１２で在室人数を算出したあと、在室人数に応じた吹出し風の設定温度を算出する（処理９）。次に、吹出し口付近に置かれた送風温度検知手段１９により検知した吹出し風の温度と吹出し風の設定温度とを比較する（処理１０）。そして、送風温度検知手段１９が検知した温度が吹出し風の設定温度より低いときは、加熱手段６の出力を上げる（処理１１）。また、送風温度検知手段１９が検知した吹出し風の温度が吹出し風の設定温度以上のときは、加熱手段６の予熱を停止する（処理１２）。
【００７３】
また、手の検知信号がなくなり、送風手段７を停止させると、  図１２に示すように、第２予熱開始時（ＳＴ１ａ）では、運転時（ＳＴ２）の状態で送風温度検知手段１９により検知した吹出し風の温度と吹出し風の設定温度とを比較する（処理１０）。そして、送風温度検知手段１９が検知した温度が吹出し風の設定温度より低いときは、吹出し風の設定温度に対する差を加熱駆動手段１３で算出し、その差に対応して次回加熱手段６の設定温度を上げる（処理１３）。すなわち、吹出し風の温度と吹出し風の設定温度との差算出して、この差の温度を加熱手段の設定温度にフィードバックする。
【００７４】
また、送風温度検知手段１９が検知した吹出し風の温度が吹出し風の設定温度以上のときは、吹出し風の設定温度に対する差を算出してその差に対応して次回の加熱手段６の設定温度を下げるか、もしくはそのままの設定温度を維持する（処理１４）。すなわち、吹出し風の温度と吹出し風の設定温度との差算出して、この差の温度を加熱手段の設定温度にフィードバックする。
【００７５】
このような上記の手順で、加熱手段６の設定温度を新たに決定（処理１５）する。そして処理１〜処理４において、前記設定温度を用いる。
【００７６】
次に、人検知手段４の信号により人数算出手段１２で在室人数を算出したあと、在室人数に応じた加熱手段６の設定温度を決め（処理１）、加熱温度検知手段１１が検知した温度と加熱手段６の設定温度を比較する（処理２）。そして、加熱温度検知手段１１が検知した加熱手段６の温度が加熱手段６の設定温度より小さいときは、加熱駆動手段１３は加熱手段６を定格発熱量で運転する（処理３）。また、加熱温度検知手段１１が検知した加熱手段６の温度が加熱手段６の設定温度以上のときは、加熱駆動手段１３は加熱手段６の予熱を停止する（処理４）。この状態で手検知手段９が再び手を検知して運転状態になるか、人検知手段４の検知信号により人数算出手段１２が算出する在室人数が０人になるまで待機する。
【００７７】
以上のように、送風温度検知手段１９の検知温度に応じて、加熱駆動手段１３により加熱手段６の予熱運転を行うことで、吹出し風の温度を適温に保つことができるという効果を奏する。
【００７８】
（実施の形態４）
実施の形態１で説明した同一部分は同一番号を付し、詳細な説明は省略する。
【００７９】
実施の形態４の手乾燥装置においては、加熱温度検知手段１１が検知した温度が加熱手段６の設定温度を満たしていないときには、前記送風駆動手段１４により前記送風手段７を制御し、風量を下げた状態で運転を始める機能を追加したものである。
【００８０】
図１３に示すように、本実施の形態の制御部５は、実施の形態１の演算手段１５に、在室人数に応じて設定した設定温度と加熱温度検知手段１１の検出した温度とを比較して、その結果により送風駆動手段１４へ送風風量の指令を発する演算手段２２を加えて設けたものである。
【００８１】
上記構成により、加熱温度検知手段１１が検知した加熱手段６の温度を演算手段２２が受け取り、加熱温度検知手段１１が検知した加熱手段６の温度が加熱手段６の設定温度を満たしているかどうかを判断する。そして、加熱手段６の設定温度を満たしていなければ、送風駆動手段１４へ送風風量を下げる指令を発信する。そして、送風駆動手段１４はｄｕｔｙを下げて送風手段７の風量を下げた状態で運転を開始し、その後、徐々にｄｕｔｙを上げていき、送風手段７の風量を上げる。
【００８２】
以上のように、加熱温度検知手段１１が検知した温度が加熱手段６の設定温度を満たしていないときには、演算手段２２の指令により、前記送風駆動手段１４により前記送風手段７を制御し、風量を下げた状態で運転を始めることにより、最初の使用者が冷たい風を勢いよく受けるのを防ぐという効果を奏する。
【００８３】
（実施の形態５）
実施の形態１で説明した同一部分は同一番号を付し、詳細な説明は省略する。
【００８４】
実施の形態５の手乾燥装置においては、図１４に示すように、制御部５の演算手段２３は、実施の形態１の演算手段１５に、人数算出手段１２が１人目を算出してから、一定の時間経過後に加熱手段６の制御を開始する第１のタイマ２４と、送風手段７の運転が止まって所定の時間経過後に人数算出手段１２の算出する在室人数を０人にする第２のタイマ２５とを加えて設けた構成とした。
【００８５】
上記構成により、図１５の状態遷移図に示すように、第１のタイマ２４は、人数算出手段１２により算出された人数が０人から１人になるとスタートし、停止時（ＳＴ０）の状態から第１のタイマのカウントアップ待ち（ＳＴ０ａ）の状態に移行する。第１のタイマがカウントアップするとＳＴ１の状態に移行し、加熱手段６の運転を開始する。また、タイマのカウント中に前記手検知手段９により手を検知した場合、第１のタイマ２４を解除し、ＳＴ２の状態に移行する。すなわち、すぐに送風手段７の運転を開始する。
【００８６】
また、手検知手段９による手の検知がなくなった場合には、第２のタイマ２５のカウントは、送風手段７の運転が停止するとスタートし、再び手が検知されて、送風手段７の運転が再開したときと、人検知手段４の検知信号を受けて、人数算出手段１２が新たに人が入ってきたことを算出したときにリセットされる。第２のタイマ２５がカウントアップすると、第２予熱開始時（ＳＴ１ａ）の状態から停止時（ＳＴ０）の状態に移行し、加熱手段６の運転を停止し、待機状態になる。タイマカウント中に人数算出手段１２により算出された人数が０人になったときは、第２のタイマ２５を解除し、ＳＴ０の状態に移行する。
【００８７】
以上のように、在室人数が０人から１人になったときの加熱駆動手段１３の運転を開始する際に、少しのウェイトをおくことにより、人が室内に入ってきてから本体１を使用するまでの時間の加熱手段６の無駄な運転を防ぐので、省エネルギー化することができるという効果を奏する。
【００８８】
また、送風手段７の運転が止まってから一定時間経過後に在室人数を０人にすることにより、人検知手段４の誤検知を防ぐことができ、本体１の誤動作を防ぐという効果を奏する。
【００８９】
（実施の形態６）
実施の形態１で説明した同一部分は同一番号を付し、詳細な説明は省略する。
【００９０】
実施の形態６の手乾燥装置においては、異常を検知する機能を追加したものである。すなわち、図１６に示すように、本実施の形態の制御部５は、実施の形態１の制御部５に加熱手段６の運転の異常を表示する異常表示手段２６と、人数算出手段１２により算出された人数が０人の状態で、加熱駆動手段１３の運転が行われていたら異常を検知する異常検知手段２７とを備えたものである。
【００９１】
上記構成により、加熱手段６の運転異常を検知することができる。
【００９２】
以下、その詳細について、図１７を用いて異常検知の処理をフローチャートにて説明する。
【００９３】
異常検知処理は、まず人数算出手段１２により算出された人数が１人以上であるかどうかを確認し（処理１６）、人数算出手段１２により算出された人数が０人のときは、加熱手段６が運転中かどうかを確認し（処理１７）、停止中であれば異常表示手段２６をＯＦＦする（処理１８）。運転中であれば異常検知手段２７により異常を検知し、異常表示手段２６の出力をＯＮする（処理１９）。人数算出手段１２により算出された人数が１人以上であるときは、なにもしない。
【００９４】
以上のように、加熱手段６の運転の異常を検知することにより、異常をすぐに検知することができ、本体の誤動作を防ぐという効果を奏する。
【産業上の利用可能性】
【００９５】
本発明にかかる手乾燥装置は、加熱手段の温度、モータの蓄熱量、吹出し風の温度を考慮して、吹出し風の温度を適温に保つものであり、手乾燥装置以外でも温風を吹き出す機器に利用することができる。
【符号の説明】
【００９６】
１    本体
２    手洗い場
３    入口
４    人検知手段
５    制御部
６    加熱手段
７    送風手段
８    乾燥室
９    手検知手段
１０  水受け部
１１  加熱温度検知手段
１２  人数算出手段
１３  加熱駆動手段
１４  送風駆動手段
１５  演算手段
１６  使用回数計測手段
１７  演算手段
１８  吹出し口
１９  送風温度検知手段
２０  送風温度設定手段
２１  演算手段
２２  演算手段
２３  演算手段
２４  第１のタイマ
２５  第２のタイマ
２６  異常表示手段
２７  異常検知手段
【図１】
2010264158.tif 000003
【図２】
2010264158.tif 000004
【図３】
2010264158.tif 000005
【図４】
2010264158.tif 000006
【図５】
2010264158.tif 000007
【図６】
2010264158.tif 000008
【図７】
2010264158.tif 000009
【図８】
2010264158.tif 000010
【図９】
2010264158.tif 000011
【図１０】
2010264158.tif 000012
【図１１】
2010264158.tif 000013
【図１２】
2010264158.tif 000014
【図１３】
2010264158.tif 000015
【図１４】
2010264158.tif 000016
【図１５】
2010264158.tif 000017
【図１６】
2010264158.tif 000018
【図１７】
2010264158.tif 000019
【図１８】
2010264158.tif 000020